【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
印刷装置または外部装置と通信可能なデータ処理装置であって、
前記印刷装置から資源情報の改定情報を取得する第１の取得手段と、
前記外部装置から前記印刷装置に対する最新の資源情報の改定情報を取得する第２の取得手段と、
前記第１の取得手段及び第２の取得手段から取得した各改定情報とが整合するかどうかを判定する判定手段と、
前記判定手段が整合しないと判定した場合に、前記印刷装置の資源情報を改定するための改正情報を取得する第３の取得手段と、
を有することを特徴とするデータ処理装置。
【請求項２】
前記第３の取得手段により取得された改正情報を前記印刷装置に転送する転送手段を有することを特徴とする請求項１記載のデータ処理装置。
【請求項３】
前記改定情報は、前記印刷装置に適用可能なパッチプログラムであって、
前記判定手段は、前記第１の取得手段が取得したプリンタの種別を示すバージョン情報と、
前記第２の取得手段が取得したパッチプログラムのリストを元に、現在のバージョンで対応すべきパッチプログラムが有る場合に、前記判定手段が整合しないと判定することを特徴とする請求項１又は２に記載のデータ処理装置。
【請求項４】
印刷装置または外部装置と通信可能なデータ処理装置におけるデータ処理方法であって、
前記印刷装置から資源情報の改定情報を取得する第１の取得ステップと、
前記外部装置から前記印刷装置に対する最新の資源情報の改定情報を取得する第２の取得ステップと、
前記第１の取得ステップ及び第２の取得ステップから取得した各改定情報とが整合するかどうかを判定する判定ステップと、
前記判定ステップが整合しないと判定した場合に、前記印刷装置の資源情報を改定するための改正情報を取得する第３の取得ステップと、
を有することを特徴とするータ処理方法。
に転送する転送手段を有することを特徴とする請求項１記載のデータ処理装置。
【請求項５】
前記第３の取得ステップにより取得された改正情報を前記印刷装置に転送する転送ステップを有することを特徴とする請求項４記載のデータ処理装置。
【請求項６】
前記改定情報は、前記印刷装置に適用可能なパッチプログラムであって、
前記判定ステップは、前記第１の取得ステップが取得したプリンタの種別を示すバージョン情報と、前記第２の取得ステップが取得したパッチプログラムのリストを元に、現在のバージョンで対応すべきパッチプログラムが有る場合に、前記判定手段が整合しないと判定することを特徴とする請求項４又は５に記載のデータ処理方法。
【請求項７】
請求項４〜６のいずれかに記載のデータ処理方法方法を実行させるためのプログラムを格納したことを特徴とするコンピュータが読み取り可能な記憶媒体。
【手続補正２】
【補正対象書類名】明細書
【補正対象項目名】００１０
【補正方法】変更
【補正の内容】
【００１０】
本発明は、上記の問題点を解消するためになされたもので、本発明の目的は、双方向インタフェースを通じて、プリンタ側のバージョンをホストコンピュータ上に読み取り、また広域ネットワークを通じて現在のプリンタのバージョンアップを読み取り、それらのバージョンを比較した結果、バージョンが最新でなければ、広域ネットワークからプリンタのソフトウェアを修正する情報（パッチ情報）をダウンロードして、プリンタに転送することにより、プリンタを最新のソフトウェアにバージョンアップできる資源管理を自在に行える、すなわち、常に印刷装置の資源情報を最新状態に改定するバージョンアップ環境を自在に整備できるデータ処理装置およびデータ処理装置のデータ処理方法およびコンピュータが読み出し可能なプログラムを格納した記憶媒体を提供することである。


【手続補正３】
【補正対象書類名】明細書
【補正対象項目名】００１１
【補正方法】変更
【補正の内容】
【００１１】
【課題を解決するための手段】
本発明に係る第１の発明は、印刷装置または外部装置と通信可能なデータ処理装置であって、前記印刷装置から資源情報の改定情報を取得する第１の取得手段と、前記外部装置から前記印刷装置に対する最新の資源情報の改定情報を取得する第２の取得手段と、前記第１の取得手段及び第２の取得手段から取得した各改定情報とが整合するかどうかを判定する判定手段と、前記判定手段が整合しないと判定した場合に、前記印刷装置の資源情報を改定するための改正情報を取得する第３の取得手段とを有するものである。


【手続補正４】
【補正対象書類名】明細書
【補正対象項目名】００１３
【補正方法】変更
【補正の内容】
【００１３】
本発明に係る第３の発明は、前記改定情報は、前記印刷装置に適用可能なパッチプログラムであって、前記判定手段は、前記第１の取得手段が取得したプリンタの種別を示すバージョン情報と、前記第２の取得手段が取得したパッチプログラムのリストを元に、現在のバージョンで対応すべきパッチプログラムが有る場合に、前記判定手段が整合しないと判定するものである。


【手続補正５】
【補正対象書類名】明細書
【補正対象項目名】００１４
【補正方法】変更
【補正の内容】
【００１４】
本発明に係る第４の発明は、印刷装置または外部装置と通信可能なデータ処理装置におけるデータ処理方法であって、前記印刷装置から資源情報の改定情報を取得する第１の取得ステップと、前記外部装置から前記印刷装置に対する最新の資源情報の改定情報を取得する第２の取得ステップと、前記第１の取得ステップ及び第２の取得ステップから取得した各改定情報とが整合するかどうかを判定する判定ステップと、前記判定ステップが整合しないと判定した場合に、前記印刷装置の資源情報を改定するための改正情報を取得する第３の取得ステップとを有するものである。


【手続補正６】
【補正対象書類名】明細書
【補正対象項目名】００１５
【補正方法】変更
【補正の内容】
【００１５】
本発明に係る第５の発明は、前記第３の取得ステップにより取得された改正情報を前記印刷装置に転送する転送ステップを有するものである。


【手続補正７】
【補正対象書類名】明細書
【補正対象項目名】００１６
【補正方法】変更
【補正の内容】
【００１６】
本発明に係る第６の発明は、前記改定情報は、前記印刷装置に適用可能なパッチプログラムであって、前記判定ステップは、前記第１の取得ステップが取得したプリンタの種別を示すバージョン情報と、前記第２の取得ステップが取得したパッチプログラムのリストを元に、現在のバージョンで対応すべきパッチプログラムが有る場合に、前記判定手段が整合しないと判定するものである。
本発明に係る第７の発明は、第４〜第６の発明のいずれかのデータ処理方法方法を実行させるためのプログラムをコンピュータが読み取り可能な記憶媒体に格納したものである。


【手続補正８】
【補正対象書類名】明細書
【補正対象項目名】００９７
【補正方法】変更
【補正の内容】
【００９７】
【発明の効果】
以上説明したように、本発明によれば、双方向インタフェースを通じて、プリンタ側のバージョンをホストコンピュータ上に読み取り、また広域ネットワークを通じて現在のプリンタのバージョンアップを読み取り、それらのバージョンを比較した結果、バージョンが最新でなければ、広域ネットワークからプリンタのソフトウェアを修正する情報（パッチ情報）をダウンロードして、プリンタに転送するので、プリンタを最新のソフトウェアにバージョンアップできる資源管理を自在に行える、すなわち、常に印刷装置の資源情報を最新状態に改定するバージョンアップ環境を自在に整備できるという効果を奏する。


【手続補正９】
【補正対象書類名】明細書
【補正対象項目名】００９８
【補正方法】削除
【補正の内容】
【手続補正１０】
【補正対象書類名】明細書
【補正対象項目名】００９９
【補正方法】削除
【補正の内容】
【手続補正１１】
【補正対象書類名】明細書
【補正対象項目名】０１００
【補正方法】削除
【補正の内容】
【手続補正１２】
【補正対象書類名】明細書
【補正対象項目名】０１０１
【補正方法】削除
【補正の内容】